【手続補正書】
【提出日】平成24年5月15日(2012.5.15)
【手続補正１】
【補正対象書類名】特許請求の範囲
【補正対象項目名】全文
【補正方法】変更
【補正の内容】
【特許請求の範囲】
【請求項１】
無線通信において信号を送信するための方法であって、
セキュリティアソシエーション（ｓｅｃｕｒｉｔｙ  ａｓｓｏｃｉａｔｉｏｎ）と関連した複数のペイロード（ｐａｙｌｏａｄ）を含むＭＡＣ（Ｍｅｄｉｕｍ  Ａｃｃｅｓｓ  Ｃｏｎｔｒｏｌ）  ＰＤＵ（Ｐｒｏｔｏｃｏｌ  Ｄａｔａ  Ｕｎｉｔ）を生成する過程と、
前記ＭＡＣ  ＰＤＵから派生した信号を送信する過程と
を含み、前記複数のペイロードは前記ＭＡＣ  ＰＤＵ内に共に暗号化されることを特徴とする方法。
【請求項２】
前記セキュリティアソシエーション（ｓｅｃｕｒｉｔｙ  ａｓｓｏｃｉａｔｉｏｎ）と関連した複数のペイロード（ｐａｙｌｏａｄ）を含むＭＡＣ（Ｍｅｄｉｕｍ  Ａｃｃｅｓｓ  Ｃｏｎｔｒｏｌ）  ＰＤＵ（Ｐｒｏｔｏｃｏｌ  Ｄａｔａ  Ｕｎｉｔ）を生成する過程は、
前記セキュリティアソシエーションと関連した前記複数のペイロードを決定する過程と、
前記ＭＡＣ  ＰＤＵ内に共に前記セキュリティアソシエーションと関連した複数のペイロードを多重化（ｍｕｌｔｉｐｌｅｘｉｎｇ）する過程と、
前記セキュリティアソシエーションと関連した多重化されたペイロードを暗号化する過程と、を含むことを特徴とする請求項１に記載の方法。
【請求項３】
前記多重化されたペイロードのためのセキュリティ情報（ｓｅｃｕｒｉｔｙ  ｉｎｆｏｒｍａｔｉｏｎ）を生成する過程と、
前記多重化されたペイロードに前記セキュリティ情報を添付させる過程とをさらに含むことを特徴とする請求項１又は２に記載の方法。
【請求項４】
各々のセキュリティアソシエーションのために暗号化されたペイロードに対するプロトコルデータユニット（Ｐｒｏｔｏｃｏｌ  Ｄａｔａ  Ｕｎｉｔ：ＰＤＵ）を生成する過程と、
少なくとも二つ以上のセキュリティアソシエーションのために、前記暗号化されたペイロードに対するプロトコルデータユニットを生成する過程のうちの何れか一つを含むことを特徴とする請求項１乃至３のいずれか１項に記載の方法。
【請求項５】
前記各々のセキュリティアソシエーションのために前記暗号化されたペイロードに対するプロトコルデータユニット（Ｐｒｏｔｏｃｏｌ  Ｄａｔａ  Ｕｎｉｔ：ＰＤＵ）を生成する過程は、
各のセキュリティアソシエーションと関連したプロトコルデータユニットのためのヘッダを生成する過程であり、
前記少なくとも二つ以上のセキュリティアソシエーションのために、前記暗号化されたペイロードに対するプロトコルデータユニットを生成する過程は、
少なくとも二つ以上のセキュリティアソシエーションと関連した前記プロトコルデータユニットのためのヘッダを生成する過程であることを特徴とする請求項１乃至４のいずれか１項に記載の方法。
【請求項６】
前記プロトコルデータユニットのために生成されたＧＭＨ（Ｇｅｎｅｒｉｃ  Ｍｅｄｉａ  ａｃｃｅｓｓ  ｃｏｎｔｒｏｌ  Ｈｅａｄｅｒ）と結合される前記ヘッダを生成する過程と、
前記ＧＭＨに前記ヘッダを添付する過程とをさらに含むことを特徴とする請求項１乃至５のいずれか１項に記載の方法。
【請求項７】
拡張されたセキュリティヘッダを生成する過程であって、前記拡張されたセキュリティヘッダは、前記多重化されたペイロードと関連したセキュリティ情報を含む過程と、
前記プロトコルデータユニットに前記拡張されたセキュリティヘッダを添付する過程とをさらに含むことを特徴とする請求項１乃至６のいずれか１項に記載の方法。
【請求項８】
各々のセキュリティアソシエーションと一致するプロトコルデータユニットのためのヘッダを生成する過程は、
前記セキュリティアソシエーションと一致する各々の接続と関連した接続識別子を決定する過程と、
前記セキュリティアソシエーションと一致する各々の接続と関連したペイロードの長さを決定する過程と、
セキュリティ情報を決定する過程とをさらに含むことを特徴とする請求項１乃至７のいずれか１項に記載の方法。
【請求項９】
前記少なくとも二つ以上のセキュリティアソシエーションに該当するプロトコルデータユニットのためのヘッダを生成する過程は、
各々のセキュリティアソシエーションと一致する各々の接続と関連した接続識別子を決定する過程と、
各々のセキュリティアソシエーションと一致する各々の接続と関連した前記データペイロードの長さを決定する過程と、
セキュリティ情報を決定する過程とを含むことを特徴とする請求項１乃至８のいずれか１項に記載の方法。
【請求項１０】
前記複数のペイロードは、複数の接続（ｍｕｌｔｉｐｌｅ  ｃｏｎｎｅｃｔｉｏｎｓ）から派生することを特徴とする請求項１乃至９のいずれか１項に記載の方法。
【請求項１１】
前記ＭＡＣ  ＰＤＵは、セキュリティ情報（ｓｅｃｕｒｉｔｙ  ｉｎｆｏｒｍａｔｉｏｎ）を含むことを特徴とする請求項１乃至１０のいずれか１項に記載の方法。
【請求項１２】
前記セキュリティ情報は、無欠性検査値（Ｉｎｔｅｇｒｉｔｙ  Ｃｈｅｃｋ  Ｖａｌｕｅ：ＩＣＶ）の値を含むことを特徴とする請求項１１に記載の方法。
【請求項１３】
無線通信において信号を受信するための方法であって、
セキュリティアソシエーション（ｓｅｃｕｒｉｔｙ  ａｓｓｏｃｉａｔｉｏｎ）と関連した複数のペイロード（ｐａｙｌｏａｄ）を含むＭＡＣ（Ｍｅｄｉｕｍ  Ａｃｃｅｓｓ  Ｃｏｎｔｒｏｌ）  ＰＤＵ（Ｐｒｏｔｏｃｏｌ  Ｄａｔａ  Ｕｎｉｔ）から派生した信号を受信する過程と、
前記受信された信号をデコーディングする過程と
を含み、前記複数のペイロードは前記ＭＡＣ  ＰＤＵ内に共に暗号化されることを特徴とする方法。
【請求項１４】
前記受信された信号をデコーディングする過程は、
前記ＭＡＣ  ＰＤＵ内の前記複数のペイロードを解読する（ｄｅｃｒｙｐｔｉｎｇ）過程と、
前記解読されたペイロードを前記複数の接続で逆多重化（ｄｅｍｕｌｔｉｐｌｅｘｉｎｇ）する過程とを含むことを特徴とする請求項１３に記載の方法。
【請求項１５】
前記解読されたペイロードのためのセキュリティ情報（ｓｅｃｕｒｉｔｙ  ｉｎｆｏｒｍａｔｉｏｎ）を決定する過程と、
前記解読されたペイロードから前記セキュリティ情報を除去する過程とをさらに含むことを特徴とする請求項１３又は１４に記載の方法。
【請求項１６】
前記解読されたペイロードは、ＡＥＳ−ＣＣＭ（Ａｄｖａｎｃｅｄ  Ｅｎｃｒｙｐｔｉｏｎ  Ｓｔａｎｄａｒｄ−Ｃｏｕｎｔｅｒ  ｗｉｔｈ  ＣＢＣ−ＭＡＣ）を使用して解読されることを特徴とする請求項１３乃至１５のいずれか１項に記載の方法。
【請求項１７】
前記複数のペイロードは、複数の接続（ｍｕｌｔｉｐｅｌ  ｃｏｎｎｅｃｔｉｏｎｓ）から派生することを特徴とする請求項１３乃至１６のいずれか１項に記載の方法。
【請求項１８】
前記ＭＡＣ  ＰＤＵは、セキュリティ情報（ｓｅｃｕｒｉｔｙ  ｉｎｆｏｒｍａｔｉｏｎ）を含むことを特徴とする請求項１３乃至１７のいずれか１項に記載の方法。
【請求項１９】
前記セキュリティ情報は、無欠性検査値（Ｉｎｔｅｇｒｉｔｙ  Ｃｈｅｃｋ  Ｖａｌｕｅ：ＩＣＶ）の値を含むことを特徴とする請求項１８に記載の方法。
【請求項２０】
無線通信において信号を送信するための装置であって
セキュリティアソシエーション（ｓｅｃｕｒｉｔｙ  ａｓｓｏｃｉａｔｉｏｎ）と関連した複数のペイロード（ｐａｙｌｏａｄ）を含むＭＡＣ（Ｍｅｄｉｕｍ  Ａｃｃｅｓｓ  Ｃｏｎｔｒｏｌ）  ＰＤＵ（Ｐｒｏｔｏｃｏｌ  Ｄａｔａ  Ｕｎｉｔ）を生成するための第１モジュールと、
前記ＭＡＣ  ＰＤＵから派生した信号を送信する送信モジュールと
を含み、前記複数のペイロードは前記ＭＡＣ  ＰＤＵ内に共に暗号化されることを特徴とする装置。
【請求項２１】
前記第１モジュールは、
前記セキュリティアソシエーションと関連した複数のペイロードを決定する決定モジュールであって、前記ＭＡＣ  ＰＤＵ内に共に前記セキュリティアソシエーションと関連した複数のペイロードを多重化（ｍｕｌｔｉｐｌｅｘｉｎｇ）する決定モジュールと、
前記セキュリティアソシエーションと関連した多重化されたペイロードを暗号化する暗号化モジュールとを含むことを特徴とする請求項２０に記載の装置。
【請求項２２】
前記暗号化モジュールは、
前記多重化されたペイロードのためのセキュリティ情報（ｓｅｃｕｒｉｔｙ  ｉｎｆｏｒｍａｔｉｏｎ）を生成し、
前記多重化されたペイロードに前記セキュリティ情報を添付させることを特徴とする請求項２０又は２１に記載の装置。
【請求項２３】
前記暗号化モジュールは、
各々のセキュリティアソシエーションのために暗号化されたペイロードに対するプロトコルデータユニット（Ｐｒｏｔｏｃｏｌ  Ｄａｔａ  Ｕｎｉｔ：ＰＤＵ）を生成するか、
少なくとも二つ以上のセキュリティアソシエーションのために前記暗号化されたペイロードに対するプロトコルデータユニットを生成することを特徴とする請求項２０乃至２２のいずれか１項に記載の装置。
【請求項２４】
前記暗号化モジュールは、
前記各々のセキュリティアソシエーションのために前記暗号化されたペイロードに対するプロトコルデータユニット（Ｐｒｏｔｏｃｏｌ  Ｄａｔａ  Ｕｎｉｔ：ＰＤＵ）を生成することは、各のセキュリティアソシエーションと関連したプロトコルデータユニットのためのヘッダを生成することであり、
前記少なくとも二つ以上のセキュリティアソシエーションのために前記暗号化されたペイロードに対するプロトコルデータユニットを生成することは、少なくとも二つ以上のセキュリティアソシエーションと関連した前記プロトコルデータユニットのためのヘッダを生成することであることを特徴とする請求項２０乃至２３のいずれか１項に記載の装置。
【請求項２５】
前記暗号化モジュールは、
前記プロトコルデータユニットのために生成されたＧＭＨ（Ｇｅｎｅｒｉｃ  Ｍｅｄｉａ  ａｃｃｅｓｓ  ｃｏｎｔｒｏｌ  Ｈｅａｄｅｒ）と結合される前記ヘッダを生成し、
前記ＧＭＨに前記ヘッダを添付することを特徴とする請求項２０乃至２４のいずれか１項に記載の装置。
【請求項２６】
拡張されたセキュリティヘッダを生成して、前記拡張されたセキュリティヘッダは、前記多重化されたペイロードと関連したセキュリティ情報を含み、
前記プロトコルデータユニットに前記拡張されたセキュリティヘッダを添付することを特徴とする請求項２０乃至２５のいずれか１項に記載の装置。
【請求項２７】
前記暗号化モジュールは、
各々のセキュリティアソシエーションと一致するプロトコルデータユニットのためのヘッダを生成し、
前記セキュリティアソシエーションと一致する各々の接続と関連した接続識別子を決定し、
前記セキュリティアソシエーションと一致する各々の接続と関連したペイロードの長さを決定し、
セキュリティ情報を決定することを特徴とする請求項２０乃至２６のいずれか１項に記載の装置。
【請求項２８】
前記少なくとも二つ以上のセキュリティアソシエーションに該当するプロトコルデータユニットのためのヘッダを生成し、
各々のセキュリティアソシエーションと一致する各々の接続と接続された接続識別子を決定し、
各々のセキュリティアソシエーションと一致する各々の接続と接続された前記ペイロードの長さを決定し、
セキュリティアソシエーションを決定することを特徴とする請求項２０乃至２７のいずれか１項に記載の装置。
【請求項２９】
前記複数のペイロードは、複数の接続（ｍｕｌｔｉｌｅ  ｃｏｎｎｅｃｔｉｏｎｓ）から派生することを特徴とする請求項２０乃至２８のいずれか１項に記載の装置。
【請求項３０】
前記ＭＡＣ  ＰＤＵは、セキュリティ情報（ｓｅｃｕｒｉｔｙ  ｉｎｆｏｒｍａｔｉｏｎ）を含むことを特徴とする請求項２０乃至２９のいずれか１項に記載の装置。
【請求項３１】
前記セキュリティ情報は、無欠性検査値（Ｉｎｔｅｇｒｉｔｙ  Ｃｈｅｃｋ  Ｖａｌｕｅ：ＩＣＶ）の値を含むことを特徴とする請求項３０に記載の装置。
【請求項３２】
無線通信において信号を受信するための方法であって、
セキュリティアソシエーション（ｓｅｃｕｒｉｔｙ  ａｓｓｏｃｉａｔｉｏｎ）と関連した複数のペイロード（ｐａｙｌｏａｄ）を含むＭＡＣ（Ｍｅｄｉｕｍ  Ａｃｃｅｓｓ  Ｃｏｎｔｒｏｌ）  ＰＤＵ（Ｐｒｏｔｏｃｏｌ  Ｄａｔａ  Ｕｎｉｔ）から派生した信号を受信する受信モジュールと、
前記受信された信号をデコーディングする受信部と
を含み、前記複数のペイロードは前記ＭＡＣ  ＰＤＵ内に共に暗号化されることを特徴とする装置。
【請求項３３】
前記受信部は、
前記ＭＡＣ  ＰＤＵ内の前記複数のペイロードを解読し（ｄｅｃｒｙｐｔｉｎｇ）、
前記解読したペイロードを前記複数の接続で逆多重化（ｄｅｍｕｌｔｉｐｌｅｘｉｎｇ）する解読モジュールを含むことを特徴とする請求項３２に記載の装置。
【請求項３４】
前記解読モジュールは、
前記解読したペイロードのためのセキュリティ情報（ｓｅｃｕｒｉｔｙ  ｉｎｆｏｒｍａｔｉｏｎ）を決定し、
前記解読したペイロードから前記セキュリティ情報を除去することを特徴とする請求項３２又は３３に記載の装置。
【請求項３５】
前記解読されたペイロードは、ＡＥＳ−ＣＣＭ（Ａｄｖａｎｃｅｄ  Ｅｎｃｒｙｐｔｉｏｎ  Ｓｔａｎｄａｒｄ−Ｃｏｕｎｔｅｒ  ｗｉｔｈ  ＣＢＣ−ＭＡＣ）を使用して解読することを特徴とする請求項３２乃至３４のいずれか１項に記載の装置。
【請求項３６】
前記複数のペイロードは、複数の接続（ｍｕｌｔｉｐｌｅ  ｃｏｎｎｅｃｔｉｏｎｓ）から派生することを特徴とする請求項３２乃至３５のいずれか１項に記載の装置。
【請求項３７】
前記ＭＡＣ  ＰＤＵは、セキュリティ情報（ｓｅｃｕｒｉｔｙ  ｉｎｆｏｒｍａｔｉｏｎ）を含むことを特徴とする請求項３２乃至３６のいずれか１項に記載の装置。
【請求項３８】
前記セキュリティ情報は、無欠性検査値（Ｉｎｔｅｇｒｉｔｙ  Ｃｈｅｃｋ  Ｖａｌｕｅ：ＩＣＶ）の値を含むことを特徴とする請求項３７に記載の装置。